(57)【要約】【課題】コネクタの接続管部を覆うためのキャップをコネクタに着脱する時の作業性を悪化させることなく、キャップがコネクタから脱落してしまうのを未然に防止して接続管部を清潔な状態にする。【解決手段】コネクタ本体２には、キャップ６０に係合する係合部２０と、係合部２０を、該キャップ６０に係合する係合位置から該キャップ６０のコネクタ本体２からの取り外しを可能にする取り外し可能位置に変位させる弾性変形部２１とが設けられている。【選択図】図４
2018191777.tif 000002
【特許請求の範囲】
【請求項１】
薬液が収容された容器に接続される接続管部と、
上記接続管部の周囲を囲むように設けられた筒状のコネクタ本体とを備え、
上記コネクタ本体の先端部に上記接続管部を覆うキャップが取り付けられるキャップ付きコネクタにおいて、
上記コネクタ本体には、上記キャップに係合する係合部と、該係合部を、該キャップに係合する係合位置から該キャップの上記コネクタ本体からの取り外しを可能にする取り外し可能位置に変位させる弾性変形部とが設けられていることを特徴とするキャップ付きコネクタ。
【請求項２】
請求項１に記載のキャップ付きコネクタにおいて、
上記コネクタ本体の周方向の一部分が上記弾性変形部とされ、
上記コネクタ本体の上記弾性変形部と、他の部分との間にはスリットが形成されていることを特徴とするキャップ付きコネクタ。
【請求項３】
請求項２に記載のキャップ付きコネクタにおいて、
上記弾性変形部は、上記コネクタ本体の軸方向に延びる板状に形成され、該弾性変形部における上記コネクタ本体の軸方向の基端部が該コネクタ本体に連なる一方、該弾性変形部における上記コネクタ本体の軸方向の先端部が自由端部とされ、
上記弾性変形部の自由端部に上記係合部が設けられていることを特徴とするキャップ付きコネクタ。
【請求項４】
請求項３に記載のキャップ付きコネクタにおいて、
上記キャップは、上記コネクタ本体の内部に挿入される挿入筒部を有し、該挿入筒部の外周面には径方向外方へ突出する突出部が形成され、
上記係合部は、上記突出部に係合するように配置され、
上記弾性変形部は、自由端部が上記コネクタ本体の径方向に変位するように弾性変形することを特徴とするキャップ付きコネクタ。
【請求項５】
請求項４に記載のキャップ付きコネクタにおいて、
上記弾性変形部には、該弾性変形部を操作するための操作部が上記コネクタ本体の径方向外側へ突出するように設けられていることを特徴とするキャップ付きコネクタ。
【請求項６】
請求項４に記載のキャップ付きコネクタにおいて、
上記キャップが上記コネクタ本体に取り付けられた状態で、該キャップの上記突出部が上記係合部よりも上記コネクタ本体の軸方向基端側に配置され、
上記突出部における上記コネクタ本体の先端側に位置する先端側面は、上記係合部に接触して係合する面とされ、
上記先端側面は、上記突出部の突出方向先端に近づくほど上記コネクタ本体の基端側に位置するように形成されていることを特徴とするキャップ付きコネクタ。
【請求項７】
請求項４から６のいずれか１つに記載のキャップ付きコネクタにおいて、
上記キャップは、上記コネクタ本体の軸方向と交差する方向に延びるとともに、該コネクタ本体の先端部を覆う覆い部を有し、
上記覆い部が上記コネクタ本体の先端部に当接することを特徴とするキャップ付きコネクタ。
【発明の詳細な説明】
【技術分野】
【０００１】
本発明は、薬液が収容された容器に接続されるコネクタに関し、特に非接続状態にあるときにコネクタの接続管部を覆うためのキャップを備えた構造の技術分野に属する。
【背景技術】
【０００２】
特許文献１には、患者に投与される薬液を収容した輸液容器に接続されるコネクタが開示されている。この特許文献１のコネクタは、輸液容器に連通する流路を構成しているオスルアー部と、オスルアー部を囲む外筒とを有しており、オスルアー部に輸液容器が接続されて該オスルアー部内の流路と輸液容器の内部とが連通するようになっている。
【０００３】
このコネクタには、キャップが設けられている。キャップは、コネクタの先端部に対して着脱可能に構成されており、コネクタとキャップとはバンドによって繋がれている。特許文献１のキャップは、外筒を開閉する天板と、天板から突出する円筒形状の封止筒とを備えている。封止筒の内側にコネクタのオスルアー部が嵌合し、この状態で天板によって外筒が閉塞されるようになっている。
【先行技術文献】
【特許文献】
【０００４】
【特許文献１】特開２０１６−１５８６５６号公報
【発明の概要】
【発明が解決しようとする課題】
【０００５】
ところで、特許文献１のようにコネクタにキャップを設けることで、コネクタへの接続前にオスルアー部の流路を清潔に保つことができる点で優れている。しかしながら、コネクタやキャップは一般的に樹脂材であることから、コネクタにキャップを接続した状態で例えば滅菌時や保管時に雰囲気温度が変化すると、温度変化による熱膨張及び収縮の影響によってキャップの嵌合力が低下することがある。キャップの嵌合力が低下するとキャップがコネクタから脱落してしまう恐れがある。キャップが脱落するとオスルアー部の流路が露出して外気に晒されてしまうので、オスルアー部を清潔な状態で維持することが難しくなる。
【０００６】
そこで、予めキャップとコネクタとの嵌め合いをきつめに設定しておき、温度変化に起因するキャップの脱落を抑制することが考えられる。ところが、そのように嵌め合いをきつく設定すると、製造時や使用時にキャップをコネクタに嵌めようとした時や、コネクタからキャップを取り外そうとした時に大きな力を要することになり、作業性が悪いという問題がある。特に、医療現場において素早い操作が要求される場合には、作業性の悪化が大きな問題になることがある。
【０００７】
本発明は、かかる点に鑑みてなされたものであり、その目的とするところは、コネクタの接続管部を覆うためのキャップをコネクタに着脱する時の作業性を悪化させることなく、キャップがコネクタから脱落してしまうのを未然に防止して接続管部を清潔な状態にすることにある。
【課題を解決するための手段】
【０００８】
上記目的を達成するために、本発明では、コネクタ本体に、キャップに係合する係合部を設け、この係合部をキャップに係合する位置からキャップの取り外し可能位置まで変位可能にした。
【０００９】
第１の発明は、薬液が収容された容器に接続される接続管部と、上記接続管部の周囲を囲むように設けられた筒状のコネクタ本体とを備え、上記コネクタ本体の先端部に上記接続管部を覆うキャップが取り付けられるキャップ付きコネクタにおいて、上記コネクタ本体には、上記キャップに係合する係合部と、該係合部を、該キャップに係合する係合位置から該キャップの上記コネクタ本体からの取り外しを可能にする取り外し可能位置に変位させる弾性変形部とが設けられていることを特徴とする。
【００１０】
この構成によれば、キャップをコネクタ本体の先端部に取り付けると、係合部がキャップに係合してキャップがコネクタ本体に取り付けられた状態になる。このとき、本発明では従来のような嵌め合いではなく、係合部がキャップに係合しているので、例えば滅菌時や保管時に雰囲気温度が変化して各部材が熱膨張や収縮したとしても、キャップがコネクタ本体から離脱しにくくなる。
【００１１】
一方、コネクタ本体の弾性変形部を弾性変形させることによって係合部を係合位置からキャップの取り外し可能位置に変位させると、キャップをコネクタ本体から取り外すことができる。
【００１２】
第２の発明は、第１の発明において、上記コネクタ本体の周方向の一部分が上記弾性変形部とされ、上記コネクタ本体の上記弾性変形部と、他の部分との間にはスリットが形成されていることを特徴とする。
【００１３】
この構成によれば、弾性変形部をコネクタ本体の一部分で構成しながら容易に弾性変形させることが可能になる。
【００１４】
第３の発明は、第２の発明において、上記弾性変形部は、上記コネクタ本体の軸方向に延びる板状に形成され、該弾性変形部における上記コネクタ本体の軸方向の基端部が該コネクタ本体に連なる一方、該弾性変形部における上記コネクタ本体の軸方向の先端部が自由端部とされ、上記弾性変形部の自由端部に上記係合部が設けられていることを特徴とする。
【００１５】
この構成によれば、弾性変形部を弾性変形させることで該弾性変形部の先端部の変位量を大きく確保して係合部の位置を係合位置から取り外し可能位置に確実に変位させることが可能になる。
【００１６】
第４の発明は、第３の発明において、上記キャップは、上記コネクタ本体の内部に挿入される挿入筒部を有し、該挿入筒部の外周面には径方向外方へ突出する突出部が形成され、上記係合部は、上記突出部に係合するように配置され、上記弾性変形部は、自由端部が上記コネクタ本体の径方向に変位するように弾性変形することを特徴とする。
【００１７】
この構成によれば、キャップをコネクタ本体の先端部に取り付けると、キャップの挿入筒部がコネクタ本体の内部に挿入されるので、この挿入筒部の突出部がコネクタ本体の内部に配置される。この状態で係合部が挿入筒部の突出部に係合してキャップの離脱が抑制される。
【００１８】
一方、弾性変形部の自由端部がコネクタ本体の径方向外側へ変位するように該弾性変形部が弾性変形することによって係合部が挿入筒部の突出部から外れるので、キャップをコネクタ本体から取り外すことができる。
【００１９】
第５の発明は、第４の発明において、上記弾性変形部には、該弾性変形部を操作するための操作部が上記コネクタ本体の径方向外側へ突出するように設けられていることを特徴とする。
【００２０】
この構成によれば、コネクタ本体の外側から操作部によって弾性変形部を操作して容易に弾性変形させることが可能になる。
【００２１】
第６の発明は、第４の発明において、上記キャップが上記コネクタ本体に取り付けられた状態で、該キャップの上記突出部が上記係合部よりも上記コネクタ本体の軸方向基端側に配置され、上記突出部における上記コネクタ本体の先端側に位置する先端側面は、上記係合部に接触して係合する面とされ、上記先端側面は、上記突出部の突出方向先端に近づくほど上記コネクタ本体の基端側に位置するように形成されていることを特徴とする。
【００２２】
この構成によれば、キャップがコネクタ本体に取り付けられると、キャップの突出部が係合部よりもコネクタ本体の基端側に位置し、突出部の先端側面が係合部に接触して係合した状態になる。これにより、キャップが離脱しにくくなる。
【００２３】
一方、キャップを取り外す場合には、突出部の先端側面が、突出方向先端に近づくほどコネクタ本体の基端側に位置しているので、キャップの挿入筒部をコネクタ本体の先端部から抜く方向に力を加えるだけで、係合部を突出部の先端側面によって押圧して弾性変形部を弾性変形させることができる。これにより、係合部が突出部を乗り越えて取り外し可能位置に切り替えられる。つまり、弾性変形部を操作することなく、キャップの挿入筒部をコネクタ本体の先端部から抜く操作を行うだけで、キャップを取り外すことが可能になる。
【００２４】
第７の発明は、第４から６のいずれか１つの発明において、上記キャップは、上記コネクタ本体の軸方向と交差する方向に延びるとともに、該コネクタ本体の先端部を覆う覆い部を有し、上記覆い部が上記コネクタ本体の先端部に当接することを特徴とする。
【００２５】
この構成によれば、キャップの覆い部によってコネクタ本体の先端部が覆われるので、異物等が接続管部に付着しにくくなる。そして、この覆い部がコネクタ本体の先端部に当接することによってキャップの位置決めがなされる。
【発明の効果】
【００２６】
第１の発明によれば、コネクタ本体に、キャップに係合する係合部を設け、この係合部をキャップに係合する位置からキャップの取り外し可能位置まで変位可能にしたので、キャップをコネクタに着脱する時の作業性を悪化させることなく、キャップがコネクタから脱落してしまうのを未然に防止して接続管部を清潔な状態にすることができる。
【００２７】
第２の発明によれば、コネクタ本体の周方向の一部分で弾性変形部を構成し、コネクタ本体の弾性変形部と他の部分との間にスリットを形成したので、弾性変形部を容易に弾性変形させることができる。
【００２８】
第３の発明によれば、弾性変形部の基端部がコネクタ本体に連なる一方、弾性変形部の先端部を自由端部とし、その自由端部に係合部が設けたので、係合部の変位量を大きく確保することができ、係合部の位置を係合位置から取り外し可能位置に確実に変位させることができる。
【００２９】
第４の発明によれば、キャップの挿入筒部の突出部に係合部を係合させることでキャップをコネクタ本体に取り付けることができる。キャップを取り外す際には、弾性変形部の自由端部をコネクタ本体の径方向外側に変位させることで容易に取り外すことができる。
【００３０】
第５の発明によれば、弾性変形部をコネクタ本体の外側から操作部によって操作することができるので、係合部を係合位置から取り外し可能位置に容易に切り替えることができる。
【００３１】
第６の発明によれば、キャップの挿入筒部に形成した突出部の先端側面を、突出方向先端に近づくほどコネクタ本体の基端側に位置する形状にしたので、キャップの挿入筒部をコネクタ本体の先端部から抜く操作を行うだけでキャップを容易に取り外すことができる。
【００３２】
第７の発明によれば、コネクタ本体の先端部を覆う覆い部をキャップに設けることで異物等が接続管部に付着しにくくなり、この覆い部をコネクタ本体の先端部に当接させることで、キャップをコネクタ本体に取り付けた状態で位置決めすることができる。
【図面の簡単な説明】
【００３３】
【図１】本発明の実施形態に係る輸液セットの側面図である。
【図２】コネクタを輸液バッグに接続した状態を示す断面図である。
【図３】キャップ付きコネクタの側面図である。
【図４】キャップ付きコネクタの断面図である。
【図５】キャップの斜視図である。
【図６】キャップの底面図である。
【図７】図６におけるVII−VII線断面図である。
【図８】コネクタをバイアル瓶に接続した状態を示す断面図である。
【発明を実施するための形態】
【００３４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３５】
図１は、本発明の実施形態に係る輸液セット１００の側面図である。この輸液セット１００は、患者に薬液を投与するための医療用のものであり、薬液が収容された第１輸液バッグ１０１が接続される容器接続用の針１０２と、薬液が収容された第２輸液バッグ１０３が接続されるコネクタ１と、容器接続用の針１０２の基端部に接続される第１チューブ１０４と、コネクタ１の基端部に接続される第２チューブ１０５と、下流側へ延びる第３チューブ１０６とを備えている。第１チューブ１０４の下流端と、第２チューブ１０５の下流端と、第３チューブ１０６の上流端とは従来から周知の流路切替部材１０７を介して接続されている。尚、容器接続用の針１０２やコネクタ１には、上述した輸液バッグ１０１、１０３以外にも、後述するようなバイアル瓶等の各種輸液容器を接続することができる。
【００３６】
第３チューブ１０６における中途部には点滴筒１０８が設けられている。第３チューブ１０６の点滴筒１０８よりも下流側にはクレンメ１０９が設けられている。さらに、第３チューブ１０６のクレンメ１０９よりも下流側には混注ポート１１０が設けられている。第３チューブ１０６の下流端には患者に穿刺される穿刺針（図示せず）が接続されるようになっている。
【００３７】
コネクタ１は、図３及び図４に示すようにキャップ６０を備えたキャップ付きコネクタであり、図２に使用状態を示すようにキャップ６０を取り外した状態で第２輸液バッグ１０３に接続される。図２に示す第２輸液バッグ１０３の管部１０３ａの下流端部には、ゴム製の栓部材１０３ｂが設けられている。また、管部１０３ａには、バックアダプタ１２０が着脱可能に取り付けられている。バックアダプタ１２０は、管部１０３ａの外周面に係合する爪１２１と、栓部材１０３ｂに刺すことが可能な針１２２とを備えている。針１２２は中空針であり、この実施形態では上方へ向けて突出するように配置されている。針１２２を栓部材１０３ｂに刺すことで第２輸液バッグ１０３の内部と針１２２の内部とが連通した状態になる。
【００３８】
また、バッグアダプタ１２０の下部には、外筒部１２３が下方へ突出するように形成されている。外筒部１２３の内部は、針１２２の内部と連通している。外筒部１２３の下端部には、ゴム製の栓部材１２４が設けられている。外筒部１２３の外周面には、栓部材１２４よりも上側に凹部１２３ａが形成されている。凹部１２３ａは外筒部１２３の周方向に連続して設けることができる。
【００３９】
コネクタ１は、上方が開放された略円筒状のコネクタ本体２と、底板部３と、接続管部４と、チューブ接続筒部５とを備えている。コネクタ本体２、底板部３、接続管部４及びチューブ接続筒部５は弾性を有する樹脂材によって一体成形されている。コネクタ本体２は、上記バッグアダプタ１２０の外筒部１２３を収容可能な内径を有しており、第２輸液バッグ１０３への接続状態で上下方向に延びる姿勢となる。コネクタ本体２の軸方向（図２〜４の上下方向）の寸法は、第２輸液バッグ１０３の外筒部１２３の軸方向の寸法よりも長く設定されていて、コネクタ本体２に対してその上方から第２輸液バッグ１０３の外筒部１２３を収容した状態で、コネクタ本体２の下端部が第２輸液バッグ１０３の外筒部１２３の下端部よりも下側に位置するようになっている。
【００４０】
尚、この実施形態の説明では、コネクタ１に第２輸液バッグ１０３を接続して使用するときに上となる側を「上側」といい、下になる側を「下側」というものとするが、これは説明の便宜を図るためだけであって、コネクタ１のどちらが上であってもよい。
【００４１】
底板部３はコネクタ本体２の軸方向と略直交する方向に延びる略円形の板状をなしており、コネクタ本体２の下端部を閉塞するように該コネクタ本体２の下端部と連続している。この底板部３を備えていることにより、コネクタ本体２は有底の筒状になる。
【００４２】
図４に示すように、接続管部４は、底板部３の径方向中心部から上方へ突出するように設けられている。接続管部４の上端部には、該接続管部４の内部と外部とを連通させるための連通口となる開口部４ａが形成されている。図２に示すように、コネクタ１をバッグアダプタ１２０に取り付けた状態で接続管部４の上側がバッグアダプタ１２０の栓部材１２４に差し込まれるようなっている。これにより、接続管部４がバッグアダプタ１２０の針１２２及び外筒部１２３を介して第２輸液バッグ１０３の内部と連通した状態となり、接続管部４と第２輸液バッグ１０３とが接続される。
【００４３】
図４に示すように、接続管部４は上端へ行くほど縮径するように形成されている。接続管部４の上端部は、コネクタ本体２の上端部よりも下側に位置している。また、接続管部４の軸は、コネクタ本体２の軸と同心上に位置しており、接続管部４の外周面と、コネクタ本体２の内周面との間には上記第２輸液バッグ１０３の外筒部１２３が挿入可能な空間Ｒが形成される。
【００４４】
接続管部４の下端部は、底板部３の下面に開口する下流端開口４ｂとされている。下流端開口４ｂは底板部３の下面において中心部に位置している。チューブ接続筒部５は、底板部３の下面の中心部から下方へ突出するように形成されている。チューブ接続筒部５の上端部（上流端部）と、接続管部４の下流端開口４ｂとが連通している。チューブ接続筒部５の内径は、接続管部４の内径よりも大きく設定されている。
【００４５】
図３に示すように、チューブ接続筒部５の外周面には、該チューブ接続筒部５の径方向外方へ突出して螺旋状に延びるネジ山５ａが形成されている。チューブ接続筒部５には、従来から周知のルアーテーパを有する接続部材（図示せず）を介して第２チューブ１０５を接続することもできる。
【００４６】
コネクタ本体２は、接続管部４の周囲を囲むように形成された筒状をなしている。コネクタ本体２には、係合部２０と弾性変形部２１とが設けられている。弾性変形部２１は、コネクタ本体２の周方向の一部分で構成されており、コネクタ本体２の弾性変形部２１と、他の部分との間には、図３にも示すように、第１スリット２２と第２スリット２３と上側スリット２４とが形成されている。弾性変形部２１は、コネクタ本体２の軸方向、即ち、上下方向に延びる板状に形成されている。弾性変形部２１におけるコネクタ本体２の軸方向の基端部（下端部）が該コネクタ本体２に連なる一方、該弾性変形部２１におけるコネクタ本体２の軸方向の先端部（上端部）が自由端部とされている。弾性変形部２１の自由端部に係合部２０が設けられている。
【００４７】
第１スリット２２、第２スリット２３及び上側スリット２４は、弾性変形部２１を、その下端部を除いてコネクタ本体２の他の部分から分離させるためのものである。第１スリット２２及び第２スリット２３は、コネクタ本体２の軸方向に直線状に延びている。第１スリット２２及び第２スリット２３は、弾性変形部２１をコネクタ本体２の周方向両側から挟むように位置している。第１スリット２２及び第２スリット２３の形状は特に限定されるものではなく、傾斜して延びていてもよい。第１スリット２２及び第２スリット２３の間隔によって弾性変形部２１の幅を設定することができる。弾性変形部２１を弾性変形させるのに要する力は、該弾性変形部２１の幅や肉厚、弾性変形部２１を構成する樹脂材の種類等によって任意に調整することができる。
【００４８】
第１スリット２２及び第２スリット２３の下端部は底板部３の上面近傍に位置している。一方、第１スリット２２及び第２スリット２３の上端部はコネクタ本体２の上端部よりも下側に位置している。また、上側スリット２４は、第１スリット２２の上端部と第２スリット２３の上端部とを連続させるためのスリットである。この上側スリット２４は、コネクタ本体２の上端部よりも下側に位置しており、コネクタ本体２の周方向に延びていて、一方の端部が第１スリット２２の上端部と連続し、他方の端部が第２スリット２３の上端部と連続する。第１スリット２２、第２スリット２３及び上側スリット２４の３つのスリットで囲まれた部分が弾性変形部２１となっている。
【００４９】
弾性変形部２１はその基端部が底板部３を介してコネクタ本体２に連なっていて固定端部となっている。これにより、弾性変形部２１に対してコネクタ本体２の径方向に外力を作用させると、弾性変形部２１は、その自由端部である上端部がコネクタ本体２の径方向に変位するように全体として弾性変形することになる。
【００５０】
係合部２０は、弾性変形部２１の上端部（自由端部）においてコネクタ本体２の径方向内側へ突出するように設けられている。この係合部２０は、弾性変形部２１の幅方向（コネクタ本体２の周方向）に延びる突条部で構成することができる。係合部２０の上面（コネクタ本体２の軸方向先端側に位置する面）２０ａは、係合部２０の突出方向先端へ行くほど下に位置するように形成されている。また、係合部２０の下面（コネクタ本体２の軸方向基端側に位置する面）２０ｂは、コネクタ本体２の径方向に延びている。従って、係合部２０は、突出方向先端へ向かって尖った形状になる。
【００５１】
図２に示すように、係合部２０は、バッグアダプタ１２０の外筒部１２３の凹部１２３ａに入り込むことによって該凹部１２３ａの内面に係合するようになっている。また、図４に示すように、詳細は後述するが、係合部２０はキャップ６０にも係合するようになっている。
【００５２】
この実施形態では、接続管部４に第２輸液バッグ１０３を接続しないとき、即ち、接続管部４を使用しないときに、接続管部４を覆うキャップ６０をコネクタ本体２の先端部に取り付けることができるように構成されている。図３や図４に示すように、キャップ６０がコネクタ本体２に取り付けられた状態でキャップ付きコネクタ１になるが、接続管部４に第２輸液バッグ１０３を接続するときには、キャップ６０をコネクタ本体２から取り外して接続管部４を露出させることができる。
【００５３】
弾性変形部２１には、該弾性変形部２１を操作するための操作部２５がコネクタ本体２の径方向外側へ突出するように設けられている。操作部２５は弾性変形部２１に一体成形されている。操作部２５の基端部は、弾性変形部２１の上下方向中間部において上側寄りの部分と一体化されている。操作部２５は、下方へ向けて延びるレバー形状をなしており、操作部２５の先端部は、底板部３よりも下側で、かつ、チューブ接続筒部５の下端部よりも上側に位置している。
【００５４】
（キャップ６０の構成）
図５〜図７にも示すように、キャップ６０は、コネクタ本体２の内部に挿入される挿入筒部６１と、コネクタ本体２の先端部を覆う覆い部６２と、外周壁部６３と、ホルダ部６４とを有している。挿入筒部６１、覆い部６２、外周壁部６３及びホルダ部６４は、樹脂材によって一体成形されている。挿入筒部６１は、図４に示すように、接続管部４の外周面と、コネクタ本体２の内周面との間に形成されている空間Ｒに挿入されるようになっている。挿入筒部６１の下端部は、空間Ｒに完全に挿入した状態で接続管部４の開口部４ａよりも下側に位置し、かつ、底板部３の上面から上側に離れている。
【００５５】
挿入筒部６１の外周面には、該挿入筒部６１の径方向外方へ突出する突出部６１ａが複数形成されている。コネクタ本体２の係合部２０は、キャップ６０の突出部６１ａに係合するように配置されている。突出部６１ａは、挿入筒部６１の周方向に互いに間隔をあけて配置されており、挿入筒部６１の軸方向に長く延びる形状とされている。突出部６１ａの下端部は、挿入筒部６１の下端部に位置する一方、突出部６１ａの上端部は、挿入筒部６１の上端部から下側へ離れた所に位置している。
【００５６】
図４に示すように、キャップ６０がコネクタ本体２に取り付けられた状態で、キャップ６０の突出部６１ａがコネクタ本体２の係合部２０よりもコネクタ本体２の軸方向基端側に配置されるように、両者の位置関係が設定されている。キャップ６０の突出部６１ａにおけるコネクタ本体２の先端側に位置する先端側面６１ｂは、係合部２０に接触して係合する面とされている。先端側面６１ｂは、突出部６１ａの突出方向先端に近づくほどコネクタ本体２の基端側（下側）に位置するように形成されている。
【００５７】
覆い部６２は、複数設けられており、挿入筒部６１の上端部から径方向外側（コネクタ本体２の軸方向と交差する方向）へ向けて突出し、互いに挿入筒部６１の周方向に間隔をあけて配置されている。覆い部６２が挿入筒部６１の周方向に間隔をあけて設けられているので、コネクタ本体２の先端部は覆い部６２によって部分的に覆われることになる。覆い部６２の下面は、コネクタ本体２の先端部（上端部）に当接するようになっている。覆い部６２の下面がコネクタ本体２の先端部に当接することによってキャップ６０の挿入方向の位置決めが行われる。
【００５８】
外周壁部６３は覆い部６２の突出方向先端部を連結するように挿入筒部６１の周方向に連続して延びている。外周壁部６２は、覆い部６２の突出方向先端部から下方へ突出している。外周壁部６３の内径は挿入筒部６１の外径よりも大きく設定されており、外周壁部６３の内周面と、挿入筒部６１の外周面との間にはコネクタ本体２の先端部を差し込むことが可能な隙間が形成されている。
【００５９】
ホルダ部６４は、外周壁部６３の周方向の一部から径方向外側へ突出した後、周方向に屈曲して延びている。ホルダ部６４の内側に図示しないがチューブ等を挿入することで、キャップ６０を該チューブに保持することができる。尚、このホルダ部６４は省略してもよい。
【００６０】
（キャップの取付要領）
次に、上記のように構成されたキャップ６０をコネクタ本体２に取り付ける要領について説明する。まず、キャップ６０をコネクタ本体２の上方に配置した後、キャップ６０の挿入筒部６１を、コネクタ本体２の内周面と接続管部４の外周面との間の空間Ｒに挿入していく。挿入筒部６１を空間Ｒに挿入していくと、覆い部６２の下面がコネクタ本体２の上端部に当接してキャップ６０がそれ以上、コネクタ本体２の下側へ移動しなくなる。つまり、覆い部６２はキャップ６０を取り付ける際のストッパとしても機能する。
【００６１】
挿入筒部６１を空間Ｒに挿入して行く過程では、挿入筒部６１の突出部６１ａの下端部がコネクタ本体２の係合部２０の上面２０ａに摺接し、このとき、係合部２０の上面２０ａが径方向内側へ行くほど下に位置しているので、挿入筒部６１の軸とコネクタ本体２の軸とが一致するように、挿入筒部６１がコネクタ本体２の中心部に案内される。挿入筒部６１を更に挿入していくと、挿入筒部６１の突出部６１ａが係合部２０を径方向外側へ向けて押圧し、弾性変形部２１の上端部に対して径方向外側へ向けて外力が作用する。外力を受けた弾性変形部２１は、その上端部が径方向外側へ向けて変位するように全体として弾性変形する。これにより、係合部２０が径方向外側へ向けて変位するので、挿入筒部６１の突出部６１ａが下側へ向けて移動可能になる。
【００６２】
図４に示すように、キャップ６０の挿入筒部６１をコネクタ本体２に完全に挿入すると、係合部２０が挿入筒部６１の突出部６１ａよりも上に位置する。これにより、係合部２０が弾性変形部２１の付勢力によって径方向内側に変位して元の位置に戻り、弾性変形部２１の形状が復元する。この状態で、係合部２０が挿入筒部６１の突出部６１ａの先端側面６１ｂに接触して係合する。
【００６３】
この実施形態では、従来のような嵌め合いではなく、係合部２０を挿入筒部６１の突出部６１ａに係合させているので、例えば滅菌時や保管時に雰囲気温度が変化して各部材が熱膨張や収縮したとしても、キャップ６０がコネクタ本体２から離脱しにくくなる。
【００６４】
（キャップの取り外し要領）
次に、上記のようにして取り付けられたキャップ６０をコネクタ本体２から取り外す要領について説明する。キャップ６０を手で持ち、挿入筒部６１をコネクタ本体２から引き抜く方向に力を加える。そうすると、突出部６１ａの先端側面６１ｂが、突出方向先端に近づくほどコネクタ本体２の基端側に位置しているので、キャップ６０の挿入筒部６１をコネクタ本体２の上端部から抜く方向に力を加えるだけで、係合部２０を突出部６１ａの先端側面６１ｂによって突出部６１ａの突出方向へ押して弾性変形部２１を径方向外側へ向けて弾性変形させることができる。これにより、係合部２０が突出部６１ａを乗り越えて取り外し可能位置に切り替えられる。つまり、弾性変形部２１を操作部２５によって操作することなく、キャップ６０の挿入筒部６１をコネクタ本体２の上端部から抜く操作を行うだけで、キャップ６０を取り外すことが可能になる。
【００６５】
尚、キャップ６０を取り外す際には、操作部２５によって弾性変形部２１を操作するようにしてもよい。すなわち、操作部２５によって弾性変形部２１に外力を作用させて弾性変形部２１をコネクタ本体２の径方向外側に向けて弾性変形させてから、キャップ６０の挿入筒部６１をコネクタ本体２の上端部から抜くことができる。
【００６６】
上述したように、係合部２０を弾性変形部２１に設けているので、弾性変形部２１に対して直接または間接的に外力を作用させて弾性変形部２１を弾性変形させることにより、係合部２０を、キャップ６０に係合する位置からキャップ６０の取り外し可能位置まで変位させることができる。
【００６７】
（輸液バッグへの接続方法）
コネクタ１を第２輸液バッグ１０３に接続する際には、図２に示すようにコネクタ１の接続管部４をバッグアダプタ１２０の栓部材１２４に刺すとともに、キャップ６０を取り付ける時と同様に、バッグアダプタ１２０の外筒部１２３を、接続管部４の外周面とコネクタ本体２の内周面との間に形成されている空間Ｒに挿入する。これにより、係合部２０が外筒部１２３の下端部によって径方向外側へ押圧されて弾性変形部２１が径方向外側へ向けて弾性変形して外筒部１２３の挿入が可能になる。外筒部１２３が完全に挿入されると、係合部２０が外筒部１２３の凹部１２３ａに入り込んで係合した状態になる。
【００６８】
（バイアル瓶への接続方法）
図８に示すように、コネクタ１をバイアル瓶（容器）１３０に接続することもできる。バイアル瓶１３０の開口部にはゴム製の栓部材１３１が取り付けられている。バイアル瓶１３０にはバイアル瓶用アダプタ１４０が着脱可能に取り付けられている。バイアル瓶用アダプタ１４０は、バイアル瓶１３０の外周面に係合する爪１４１と、栓部材１３１に刺すことが可能な針１４２とを備えている。針１４２は中空針であり、この実施形態では上方へ向けて突出するように配置されている。針１４２を栓部材１３１に刺すことでバイアル瓶１３０の内部と針１４２の内部とが連通した状態になる。
【００６９】
バイアル瓶用アダプタ１４０の下部には、外筒部１４３が下方へ突出するように形成されている。外筒部１４３の内部は、針１４２の内部と連通している。外筒部１４３の下端部には、ゴム製の栓部材１４４が設けられている。外筒部１４３の外周面には、栓部材１４４よりも上側に凹部１４３ａが形成されている。凹部１４３ａは外筒部１４３の周方向に連続して設けることができる。
【００７０】
コネクタ１をバイアル瓶１３０に接続する際には、コネクタ１の接続管部４をバイアル瓶用アダプタ１４０の栓部材１４４に刺すとともに、キャップ６０を取り付ける時と同様に、バイアル瓶用アダプタ１４０の外筒部１４３を、接続管部４の外周面とコネクタ本体２の内周面との間に形成されている空間Ｒに挿入する。これにより、係合部２０が外筒部１４３の下端部によって径方向外側へ押圧されて弾性変形部２１が径方向外側へ向けて弾性変形して外筒部１４３の挿入が可能になる。外筒部１４３が完全に挿入されると、係合部２０が外筒部１４３の凹部１４３ａに入り込んで係合した状態になる。
【００７１】
（実施形態の作用効果）
以上説明したように、この実施形態に係るキャップ付きコネクタ１によれば、コネクタ本体２に、キャップ６０に係合する係合部２０を設け、この係合部２０をキャップ６０に係合する位置からキャップの取り外し可能位置まで変位可能にしたので、キャップ６０をコネクタ１に着脱する時の作業性を悪化させることなく、キャップ６０がコネクタ１から脱落してしまうのを未然に防止して接続管部４を清潔な状態にすることができる。
【００７２】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７３】
以上説明したように、本発明に係るキャップ付きコネクタは、例えば輸液バッグやバイアル瓶に接続して使用することができる。
【符号の説明】
【００７４】
１              キャップ付きコネクタ
２              コネクタ本体
４              接続管部
２０            係合部
２１            弾性変形部
２２            第１スリット
２３            第２スリット
２４            上側スリット
２５            操作部
６０            キャップ
６１            挿入筒部
６１ａ          突出部
６１ｂ          先端側面
【図１】
2018191777.tif 000003
【図２】
2018191777.tif 000004
【図３】
2018191777.tif 000005
【図４】
2018191777.tif 000006
【図５】
2018191777.tif 000007
【図６】
2018191777.tif 000008
【図７】
2018191777.tif 000009
【図８】
2018191777.tif 000010